(57)【要約】【課題】  消化能力の高い消火剤を製造することができる消火剤の製造方法を提供する。【解決手段】  本発明の製造方法は、３０度から４０度のお湯に塩化ナトリウムを５ｇから１５ｇ入れ、リン酸二アンモニウムを５０ｇから７０ｇ入れて溶解する工程と、重炭酸アンモニウムを５０ｇから７０ｇ入れて溶解する工程とを備える。【特許請求の範囲】
【請求項１】
消火用具に入れる消火剤の製造方法であって、
３０度から４０度のお湯に塩化ナトリウムを５ｇから１５ｇ入れ、
リン酸二アンモニウムを５０ｇから７０ｇ入れて溶解する工程と、
重炭酸アンモニウムを５０ｇから７０ｇ入れて溶解する工程と、
を備えることを特徴とする消火剤の製造方法。
【請求項２】
消火用具に入れる消火剤の製造方法であって、
３０度から４０度のお湯に塩化ナトリウムを５ｇから１５ｇ入れ、
リン酸二アンモニウムを５０ｇから７０ｇ入れて溶解する工程と、
重炭酸アンモニウムを５０ｇから７０ｇ入れて溶解する工程と、
尿素を２０ｇから４０ｇ入れて溶解する工程と、
硫酸アンモニウムを３５ｇから５０ｇ入れて溶解する工程と、
を備えることを特徴とする消火剤の製造方法。
【請求項３】
更に界面活性剤を入れる工程を備えることを特徴とする請求項１又は請求項２記載の消火剤の製造方法。
【発明の詳細な説明】
【技術分野】
【０００１】  本発明は火災用の消火剤の製造方法に関する。
【背景技術】
【０００２】  消火剤の成分は、さまざまな組成物により構成されている。例えば、特開２００１−３７９０１号では、尿素、塩化ナトリウム、無水炭酸ソーダ、硫酸アンモニウムなどが開示されている。【０００３】  しかし、その製造方法については、各社がノウハウとして世の中に公開しないものが多い。そこで、本発明は、その消火剤の製造方法について開示することにした。
【特許文献】  特開２００１−３７９０１号
【発明の開示】
【発明が解決しようとする課題】
【０００４】  近年、消火用具の一つとして、床置き式消火器とは別に、火元に投げる投げ出しタイプの消火用具が販売されている。その理由としては、実際の消火時に床置き式消火器を使用することは困難で、ただ単に投げ出すだけで消火できることの簡便性によることが考えられる。【０００５】  しかし、消火剤の成分が全て安全とは限らず、子供や老人が間違って飲料した場合に問題となる可能性がある。【０００６】  そこで、本発明は、人体にも悪影響のない安全な消火剤の製造方法を考えた。【０００７】  更に、添加される薬剤の作用が得られるように効率的に処理し、消火能力の高い消火剤を製造することができる消火剤の製造方法を提供する。
【課題を解決するための手段】
【０００８】  上記の課題を解決する方法として、本発明の消火剤の製造方法は、３０度から４０度のお湯に塩化ナトリウムを５ｇから１５ｇ入れ、リン酸二アンモニウムを５０ｇから７０ｇ入れて溶解する工程と、重炭酸アンモニウムを５０ｇから７０ｇ入れて溶解する工程とを備える。【０００９】  ここで、本発明の消火剤の製造方法は、界面活性剤を入れる工程を更に備えることができる。【００１０】  また、本発明の消火剤の製造方法の他の態様は、３０度から４０度のお湯に塩化ナトリウムを５ｇから１５ｇ入れ、リン酸二アンモニウムを５０ｇから７０ｇ入れて溶解する工程と、重炭酸アンモニウムを５０ｇから７０ｇ入れて溶解する工程と、尿素を２０ｇから４０ｇ入れて溶解する工程と、硫酸アンモニウムを３５ｇから５５ｇ入れて溶解する工程とを備える。【００１１】  ここで、本発明の消火剤の製造方法は、界面活性剤を入れる工程を更に備えることができる。
【発明の効果】
【００１２】  本発明の製造方法によれば、人体に影響のない安全な消火剤が提供できる。とりわけ、従来、炭酸アンモニウムを使用していたが、重炭酸アンモニウムを使用することで更に消火速度があがった。
【発明を実施するための最良の形態】
【００１３】    以下、本発明の第１の実施例を説明する。【００１４】  最初に４０℃程度の水に塩化ナトリウム１０ｇを入れ、攪拌して溶解する。ここで、塩化ナトリウムは触媒として利用される。【００１５】  次に、リン酸二アンモニウム６０ｇ入れて溶解し、重炭酸アンモニウムを６０ｇ入れ、反応・溶解させる。【００１６】  続いて、この溶液に熱湯を適量入れる。【００１７】  リン酸二アンモニウムと重炭酸アンモニウムは、消火の際、燃焼により炭酸ガスＣＯ２とアンモニアガスＮＨ３に熱分解される。炭酸ガスは燃焼物への酸素を遮断し、燃焼物の酸化を中和して抑える作用がある。アンモニアガスは中和、冷却作用で燃焼物の再着火を防止して、周囲への延焼を防ぐことができる。【００１８】  次に、尿素を３０ｇ入れて、溶解する。そして、硫酸アンモニウムを４５ｇ入れ、熱湯を適量入れて溶解する。【００１９】  そして、消火剤の全体量が５００ｍｌになるまで水を加える。【００２０】  尿素もまた、消火の際、燃焼により炭酸ガスとアンモニアガスに熱分解される。炭酸ガスによる燃焼物への酸素遮断作用とアンモニアガスの中和、冷却作用により、燃焼物を消火し、燃焼物の周囲への延焼を防止することができる。【００２１】  最後に、製造した消火剤５００ｍｌに対して２０ｍｌの界面活性剤（アルファフォーム）を加える。【００２２】  消火の際に燃焼により起こる反応の化学式を以下に示す。【００２３】
【化１】
2005288059.tif 000002
【００２４】  このようにして製造された消火剤は容器に充填されて使用される。充填される容器は、消火剤の品質が変化することなく安定して保存でき、消火剤により腐食されることのない容器であればよく、金属製容器や軽量な樹脂容器など様々な容器を用いることができる。【００２５】  次に、本発明の第２の実施例を説明する。【００２６】  最初に３０℃程度の水に塩化ナトリウム１０ｇを入れ、攪拌して溶解する。ここで、塩化ナトリウムは触媒として利用される。【００２７】  次に、リン酸二アンモニウム５０ｇを入れて溶解し、重炭酸アンモニウムを４５ｇ入れ、反応・溶解させる。【００２８】  続いて、この溶液に熱湯を適量入れる。【００２９】  リン酸二アンモニウムと重炭酸アンモニウムは、消火の際、燃焼により炭酸ガスＣＯ２とアンモニアガスＮＨ３に熱分解される。炭酸ガスは燃焼物への酸素を遮断し、燃焼物の酸化を中和して抑える作用がある。アンモニアガスは中和、冷却作用で燃焼物の再着火を防止して、周囲への延焼を防ぐことができる。【００３０】  次に、尿素を２０ｇ入れて、溶解する。そして、硫酸アンモニウムを４５ｇ入れ、熱湯を適量入れて溶解する。【００３１】  そして、消火剤の全体量が５００ｍｌになるまで水を加える。【００３２】  尿素もまた、消火の際、燃焼により炭酸ガスとアンモニアガスに熱分解される。炭酸ガスによる燃焼物への酸素遮断作用とアンモニアガスの中和、冷却作用により、燃焼物を消火し、燃焼物の周囲への延焼を防止することができる。【００３３】  最後に、製造した消火剤５００ｍｌに対して２０ｍｌの界面活性剤（アルファフォーム）を加える。【００３４】  このようにして製造された消火剤は容器に充填されて使用される。充填される容器は、消火剤の品質が変化することなく安定して保存でき、消火剤により腐食されることのない容器であればよく、金属製容器や軽量な樹脂容器など様々な容器を用いることができる。【００３５】  本発明の製造方法の第１の実施例及び第２の実施例によれば、人体に影響のない安全な消火剤が提供できる。そして、重炭酸アンモニウムを使用することにより更に消火速度があがった。【００３６】  以下に従来の炭酸アンモニウムを使用した場合と、本発明の重炭酸アンモニウムを使用した場合の消火速度について示す。【００３７】
【表１】
2005288059.tif 000003
【産業上の利用分野】
【００３８】  本発明により製造された消火剤は、容器に詰めて、火災が起こったときに、火元をめがけて投げ捨てる消火用具に使用される。